(57)【要約】【課題】ユーザ端末に設定可能なコンポーネントキャリア数が既存システムより拡張される場合であっても、クロスキャリアスケジューリングを適切に行うユーザ端末を提供する。【解決手段】スケジューリングを行う第１のセルと、他セルでスケジューリングが行われる第２のセルとを利用して通信可能なユーザ端末において、前記第１のセルのセルインデックスと前記第２のセルに適用される下り制御情報であることを示すＣＩＦ値とを組み合わせた情報に基づいて、前記第２のセルにおける下り共有チャネルの受信処理及び／又は上り共有チャネルの送信処理を制御する。【選択図】図７
2018110420.tif 000002
【特許請求の範囲】
【請求項１】
スケジューリングを行う第１のセルと、他セルでスケジューリングが行われる第２のセルとを利用して通信可能なユーザ端末であって、
前記第１のセルのセルインデックスと前記第２のセルに適用される下り制御情報であることを示すＣＩＦ値とを組み合わせた情報に基づいて、前記第２のセルにおける下り共有チャネルの受信処理及び／又は上り共有チャネルの送信処理を制御する制御部を有することを特徴とするユーザ端末。
【請求項２】
スケジューリングを行う第１のセルと、他セルでスケジューリングが行われる第２のセルとを利用するユーザ端末と通信を行う無線基地局であって、
前記第１のセルのセルインデックスと前記第２のセルに適用される下り制御情報であることを示すＣＩＦ値とを組み合わせた情報をハイヤレイヤシグナリングによって通知することを制御する制御部を具備したことを特徴とする無線基地局。
【請求項３】
スケジューリングを行う第１のセルと、他セルでスケジューリングが行われる第２のセルとを利用するユーザ端末の無線通信方法であって、
前記第１のセルのセルインデックスと前記第２のセルに適用される下り制御情報であることを示すＣＩＦ値とを組み合わせた情報に基づいて、前記第２のセルにおける下り共有チャネルの受信処理及び／又は上り共有チャネルの送信処理を制御することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。そして、ＬＴＥからのさらなる広帯域化及び高速化を目的として、ＬＴＥアドバンストと呼ばれるＬＴＥの後継システム（ＬＴＥ−Ａとも呼ばれる）が検討され、ＬＴＥ  Ｒｅｌ．１０−１２として仕様化されている。
【０００３】
ＬＴＥ  Ｒｅｌ．１０−１２のシステム帯域は、ＬＴＥシステムのシステム帯域を一単位とする少なくとも１つのコンポーネントキャリア（ＣＣ：Component  Carrier）を含んでいる。このように、複数のＣＣを集めて広帯域化することをキャリアアグリゲーション（ＣＡ：Carrier  Aggregation）という。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００５】
上述したＬＴＥの後継システム（ＬＴＥ  Ｒｅｌ．１０−１２）におけるＣＡでは、ユーザ端末（ＵＥ）当たりに設定可能なＣＣ数が最大５個に制限されている。ＬＴＥのさらなる後継システムであるＬＴＥ  Ｒｅｌ．１３以降においては、より柔軟且つ高速な無線通信を実現するために、ユーザ端末に設定可能なＣＣ数の制限を緩和し、６個以上のＣＣを設定することが検討されている。
【０００６】
しかしながら、ユーザ端末に設定可能なＣＣ数が６個以上（例えば、３２個）に拡張される場合、既存システム（Ｒｅｌ．１０−１２）の送信方法をそのまま適用することが困難となる。例えば、既存システムでは、複数のセル（ＣＣ）が設定されたユーザ端末に対して、所定セルのＰＤＣＣＨを用いて他のセルのＰＤＳＣＨの割当てを通知するクロスキャリアスケジューリング（ＣＣＳ）がサポートされている。この場合、無線基地局は、３ビットのＣＩＦ（Carrier  Indicator  Field）を用いて、ＰＤＳＣＨの検出を行うセルを指定することができる。
【０００７】
一方で、ユーザ端末が６個以上のＣＣ用を用いてＤＬ信号を受信する場合に、クロスキャリアスケジューリングをどのように制御するかが問題となる。
【０００８】
本発明はかかる点に鑑みてなされたものであり、ユーザ端末に設定可能なコンポーネントキャリア数が既存システムより拡張される場合であっても、クロスキャリアスケジューリングを適切に行うことができるユーザ端末、無線基地局及び無線通信方法を提供することを目的の１つとする。
【課題を解決するための手段】
【０００９】
本発明のユーザ端末の一態様は、スケジューリングを行う第１のセルと、他セルでスケジューリングが行われる第２のセルとを利用して通信可能なユーザ端末であって、前記第１のセルのセルインデックスと前記第２のセルに適用される下り制御情報であることを示すＣＩＦ値とを組み合わせた情報に基づいて、前記第２のセルにおける下り共有チャネルの受信処理及び／又は上り共有チャネルの送信処理を制御する制御部を有することを特徴とする。
【発明の効果】
【００１０】
本発明によれば、ユーザ端末に設定可能なコンポーネントキャリア数が既存システムより拡張される場合であっても、クロスキャリアスケジューリングを適切に行うことができる。
【図面の簡単な説明】
【００１１】
【図１】ＬＴＥの後継システムにおけるキャリアアグリゲーションの概要の説明図である。
【図２】ＬＴＥ  Ｒｅｌ．１３で検討されるキャリアアグリゲーションのコンポーネントキャリアの説明図である。
【図３】既存システムにおけるクロスキャリアスケジューリングの一例を示す図である。
【図４】クロスキャリアスケジューリングにおけるScheduling  CellとScheduled  Cellとの関係を説明する図である。
【図５】本実施の形態におけるクロスキャリアスケジューリングの一例を示す図である。
【図６】本実施の形態におけるクロスキャリアスケジューリングの他の一例を示す図である。
【図７】本実施の形態におけるクロスキャリアスケジューリングで利用するテーブルの一例を示す図である。
【図８】本実施の形態に係る無線通信システムの概略構成の一例を示す概略構成図である。
【図９】本実施の形態に係る無線基地局の全体構成の一例を示す図である。
【図１０】本実施の形態に係る無線基地局の機能構成の一例を示す図である。
【図１１】本実施の形態に係るユーザ端末の全体構成の一例を示す図である。
【図１２】本実施の形態に係るユーザ端末の機能構成の一例を示す図である。
【発明を実施するための形態】
【００１２】
図１は、ＬＴＥの後継システム（ＬＴＥ  Ｒｅｌ．１０−１２）におけるキャリアアグリゲーション（ＣＡ）の概要の説明図である。図１Ａは、ＬＴＥ  Ｒｅｌ．１０におけるＣＡの概要を示している。図１Ｂは、ＬＴＥ  Ｒｅｌ．１１におけるＣＡの概要を示している。図１Ｃは、ＬＴＥ  Ｒｅｌ．１２におけるＤＣの概要を示している。
【００１３】
図１Ａに示すように、ＬＴＥ  Ｒｅｌ．１０におけるＣＡにおいては、ＬＴＥシステムのシステム帯域を一単位とするコンポーネントキャリア（ＣＣ）を最大５個（ＣＣ＃１〜ＣＣ＃５）集めて広帯域化することにより、高速なデータレートを実現している。
【００１４】
図１Ｂに示すように、ＬＴＥ  Ｒｅｌ．１１におけるＣＡにおいては、ＣＣ間で異なるタイミング制御を可能とするマルチプルタイミングアドバンス（ＭＴＡ）が導入されている。ＭＴＡを適用したＣＡでは、送信タイミングで分類されるタイミングアドバンスグループ（ＴＡＧ：Timing  Advance  Group）をサポートする。そして、１つの無線基地局のスケジューラにより、ＴＡＧ毎に信号の送信タイミングが制御される。これにより、無線基地局と、当該無線基地局に光ファイバ等の理想的バックホール（ideal  backhaul）で接続されたＲＲＨ（Remote  Radio  Head）等のように、遅延が小さい非同一位置（non-co-located）の複数ＣＣによるＣＡを実現している。
【００１５】
ＬＴＥ  Ｒｅｌ．１２では、遅延の無視できない非理想的バックホール（non-ideal  backhaul）で接続された複数の無線基地局によるセルグループ（ＣＧ：Cell-Group）を束ねるデュアルコネクティビティ（ＤＣ：Dual  Connectivity）が導入され、より柔軟な配置が実現された（図１Ｃ参照）。ＤＣでは、複数の無線基地局がそれぞれ備えるスケジューラ間で独立にスケジューリングが行われることが想定される。これにより、異なる位置に配置され、独立にスケジューリングを行う無線基地局が形成する各セルグループに属するＣＣによるＣＡが実現される。また、ＤＣでは、設定されるセルグループの中においても、マルチプルタイミングアドバンスをサポートする。
【００１６】
これらのＬＴＥの後継システム（ＬＴＥ  Ｒｅｌ．１０−１２）におけるＣＡでは、ユーザ端末当たりに設定可能なＣＣ数が最大５個に制限されている。一方、ＬＴＥのさらなる後継システムであるＬＴＥ  Ｒｅｌ．１３以降においては、ユーザ端末当たりに設定可能なＣＣの数の制限を緩和し、６個以上のＣＣ（セル）を設定する拡張キャリアアグリゲーション（CA  enhancement）が検討されている。
【００１７】
拡張ＣＡでは、例えば図２に示すように、３２個のコンポーネントキャリアを束ねることが想定される。この場合には、無線基地局とユーザ端末間で最大で６４０ＭＨｚの帯域幅を利用して通信することができる。拡張ＣＡにより、より柔軟かつ高速な無線通信が実現される。
【００１８】
一方で、本発明者等は、ユーザ端末に設定可能なＣＣ数が６個以上（例えば、３２個）に拡張される場合、既存システム（Ｒｅｌ．１０−１２）の送信方法をそのまま適用することが困難となることを見出した。
【００１９】
例えば、既存システム（Ｒｅｌ．１０〜１２）のキャリアアグリゲーション（ＣＡ）では、ＤＬ送信とＵＬ送信において、クロスキャリアの制御がサポートされている。ＤＬにおけるクロスキャリアスケジューリングでは、ＣＡを適用する際に、あるＣＣの下り共有チャネル（ＰＤＳＣＨ）及び／又は上り共有チャネル（ＰＵＳＣＨ）の割当てを他のＣＣの下り制御チャネル（ＰＤＣＣＨ及び／又はＥＰＤＣＣＨ）を利用して指示する（図３参照）。
【００２０】
図３では、ＣＣ＃２（例えば、Ｓ−Ｃｅｌｌ）で送信されるＰＤＳＣＨ及び／又はＰＵＳＣＨの割当てを指示する下り制御情報（ＤＣＩ＃２）を、別のＣＣ＃１（例えば、Ｐ−Ｃｅｌｌ）のＰＤＣＣＨに多重して送信する。この際、ＣＣ＃１のＰＤＣＣＨに多重される下り制御情報（ＤＣＩ＃２）がどのＣＣ（ＣＣ１又はＣＣ２）のＰＤＳＣＨ及び／又はＰＵＳＣＨの割当てを指示する情報であるかを識別するために、キャリア識別子（ＣＩ：Carrier  Indicator）を付加したＤＣＩ構成が適用される。既存システムでは、下り制御情報に３ビットのキャリア識別子用のフィールド（ＣＩＦ：Carrier  Indicator  Field）を設定し、当該下り制御情報が対応するＣＣをユーザ端末に通知する。ユーザ端末は、下り制御情報に含まれるＣＩＦに基づいて、所定ＣＣにおけるＰＤＳＣＨの受信処理及び／又はＰＵＳＣＨの送信処理を行う。
【００２１】
また、あるセル（ＣＣ）に対してクロスキャリアスケジューリングを適用する場合、当該セルにクロスキャリアスケジューリングが適用される旨の情報と、いずれのセル（ＣＣ）からスケジューリングされるかに関する情報がユーザ端末に通知される。このような、クロスキャリアスケジューリングの適用有無に関する情報と、スケジューリングセル（ＣＩＦを送信する）セルに関する情報は、スケジューリングされるセルの上位レイヤ制御情報（例えば、ＲＲＣ制御情報）として、無線基地局からユーザ端末に通知することができる。
【００２２】
ここで、他セル（ＣＣ）のＰＤＳＣＨ及び／又はＰＵＳＣＨの割当てを制御（ＣＩＦを含むＤＣＩを送信）するセルをスケジューリングセル（Scheduling  Cell）と呼ぶことができる。また、クロスキャリアスケジューリングが設定されるセル（ＣＩＦに基づいてスケジューリングされるセル）をスケジューリングされるセル（Scheduled  Cell）と呼ぶことができる（図４参照）。
【００２３】
なお、スケジューリングセル（ＣＣ）は、当該スケジューリングセルのＰＤＳＣＨ及び／又はＰＵＳＣＨの割当てについてもＣＩＦを用いてユーザ端末に指示することができる。例えば、図４では、スケジューリングセルがＣｅｌｌ＃０（ＣＣ＃０）であり、スケジューリングされるセルがＣｅｌｌ＃０（ＣＩＦ＝０に相当）、Ｃｅｌｌ＃１（ＣＩＦ＝１に相当）、Ｃｅｌｌ＃２（ＣＩＦ＝２に相当）の場合を示している。
【００２４】
ユーザ端末は、スケジューリングセルで送信される下り制御チャネル（ＰＤＣＣＨ及び／又はＥＰＤＣＣＨ）に含まれる３ビットのＣＩＦ値に対応するインデックス（例えば、ServeCellIndex）を有するセルを判断し、当該セルで割当てられるＰＤＳＣＨを受信する。例えば、ＣＩＦ値＝０〜７をServeCellIndex#0〜#7に対応させることができる。
【００２５】
この際、ユーザ端末は、共通サーチスペース（ＣＳＳ：Common  Search  Space）の下り制御チャネルを復号する際には、ＣＩＦがないものと仮定して復号を行う。つまり、ユーザ端末は、ＣＩＦが設定される場合、ＵＥ固有サーチスペース（ＵＳＳ：UE  specific  Search  Space）においてＣＩＦが設定される制御チャネルを復号し、共通サーチスペースにおいてＣＩＦが設定されない制御チャネルを復号する。サーチスペースとは、下り制御チャネルにおいてユーザ端末がモニタリング（ブラインド複合）する範囲を指し、各ＵＥに個別に設定されるＵＥ固有サーチスペース（ＵＳＳ）と、各ＵＥに共通に設定される共通サーチスペース（ＣＳＳ）がある。
【００２６】
また、既存システム（Ｒｅｌ．１０−１２）までのＣＡでは５個以下のＣＣを設定することが前提であった。このため、ＣＩＦは３ビットで定義されており、無線基地局は、ＣＩＦを用いることにより特定ＣＣの下り制御チャネルを用いて最大８ＣＣ（ServeCellIndex=0〜7）までのＰＤＳＣＨの割当て（スケジューリング）を制御することが可能となっている。実際に設定されるＣＣ数は最大で５であったため、ＣＩＦが示す値は０〜４のいずれかであった。
【００２７】
一方で、ユーザ端末に６個以上のＣＣ（例えば、３２個）を設定する拡張ＣＡ（図２参照）では、ＤＬピークレートを向上するために１度に複数ＣＣのスケジューリングを行うことが想定される。かかる場合、８ＣＣまでしか対応できない既存のクロスキャリアスケジューリングをそのまま利用すると、通信が適切に行えなくなる可能性がある。
【００２８】
そこで、本発明者等は、ユーザ端末に６個以上のＣＣを設定する拡張ＣＡにおいて、異なるＣＣから送信されるＣＩＦに所定オフセットを設定すると共に、ユーザ端末が当該オフセットを考慮して所定ＣＣを判断することを着想した。あるいは、ＣＩＦを含む下り制御情報を送信する各セル（ＣＣ）のＣＩＦ値が対応するＣＣをそれぞれ規定した情報に基づいて、クロスキャリアスケジューリングを制御することを着想した。これにより、異なるＣＣから同一のＣＩＦ値を含む下り制御情報を受信した場合であっても、適切にＣＩＦ値に対応するＣＣを適切に判断することができる。
【００２９】
また、本発明者等は、ＣＩＦのビット数を拡張してクロスキャリアスケジューリングを行うことを着想した。
【００３０】
以下に、本実施の形態について詳細に説明する。なお、以下の説明では、拡張ＣＡにおいて、３２個のＣＣを用いる場合を例に挙げて説明するが、本実施の形態はこれに限られない。
【００３１】
（第１の態様）
第１の態様では、クロスキャリアスケジューリングが適用されるセル（Scheduled  Cell）のインデックス（例えば、ServeCellIndex）と、ＣＩＦ値に所定のオフセットを加えた値を考慮してＣＩＦにより指定されるＣＣを判断する場合について説明する。なお、以下の説明では、ユーザ端末に設定される３２ＣＣにそれぞれ＃０〜＃３１のインデックスが付与される場合を示すが、本実施の形態はこれに限られない。
【００３２】
例えば、３２個のＣＣを利用してクロスキャリアスケジューリングを行う場合、複数のスケジューリングセル（ＣＣ）がそれぞれ３ビットのＣＩＦで各ＣＣを指定する場合を想定する。かかる場合、ユーザ端末は異なるスケジューリングセルから同一のＣＩＦ値を含む下り制御情報を受信する場合が生じる。そのため、ユーザ端末は、ＣＩＦを検出した場合に、Scheduled  Cellのインデックスに応じて、ＣＩＦの値に所定（例えば、８）の倍数のオフセットを付加した値をScheduled  Cellのインデックスに読み替えて、ＰＤＳＣＨを受信する所定セル（ＣＣ）を判断する（図５参照）。
【００３３】
この場合、ＣＩＦを含む下り制御情報を送信するScheduling  CellのＣＩＦ毎に異なるオフセットを設定する。オフセットとしては、ＣＩＦが指定するセル（ＣＣ）数のｎ倍（ｎは０を含む自然数）とすることができる。なお、ユーザ端末は、各ＣＩＦに設定するオフセットについて、Scheduling  Cellのインデックス及び／又はScheduled  Cellのインデックスに基づいて判断することができる。
【００３４】
図５に示すように、ＣＩＦを含む下り制御情報を送信するScheduling  Cellが、それぞれインデックスが連続するＣＣ（セル）のスケジューリングを制御する構成とすることができる。具体的に図５では、ＣＣ＃０（セル＃０）〜ＣＣ＃７（セル＃７）にオフセット０、ＣＣ＃８〜ＣＣ＃１５にオフセット８、ＣＣ＃１６〜ＣＣ＃２３にオフセット１６、ＣＣ＃２４〜ＣＣ＃３１にオフセット２４を設定する場合を示している。ＣＩＦを送信するScheduling  Cellとして、ＣＣ＃０、ＣＣ＃８、ＣＣ＃１６、ＣＣ＃２４とする場合を示している。もちろん、本実施の形態はこれに限られない。
【００３５】
図５において、インデックス＃８のセル（ＣＣ＃８）にクロスキャリアスケジューリングが適用される場合を想定する。インデックス＃８をスケジューリングするセル（ここでは、ＣＣ＃８）から送信されるＰＤＣＣＨのＣＩＦ値が０である場合、ユーザ端末は、ＣＩＦ値０に所定オフセットを加えた値を考慮する。ここでは、ユーザ端末は、ＣＩＦ値０に所定オフセット値８を加えた値（ここでは、８）に基づいて、インデックス＃８のセルでＰＤＳＣＨが割当てられていると判断する。同様に、例えばインデックス＃１２のセル（ＣＣ＃１２）にクロスキャリアスケジューリングが適用される場合も、そのＣＩＦ値に所定オフセット値８を加えた値に基づいて、ＰＤＳＣＨが割り当てられているセルを判断できる。
【００３６】
また、図５において、インデックス＃２０のセル（ＣＣ＃２０）にクロスキャリアスケジューリングが適用される場合を想定する。インデックス＃２０をスケジューリングするセル（ここでは、＃１６）から送信されるＰＤＣＣＨのＣＩＦ値が４である場合、ユーザ端末は、ＣＩＦ値４に所定オフセットを加えた値を考慮する。ここでは、ユーザ端末は、ＣＩＦ値４に所定オフセット値１６を加えた値（ここでは、２０）に基づいて、インデックス＃２０のセルでＰＤＳＣＨが割当てられていると判断する。
【００３７】
図５の場合、１つのスケジューリングセル（ＣＣ）毎に８個のセルに対するスケジューリング（クロスキャリアスケジューリング）を制御することができる。したがって、４個のセル（４ＣＣ）をスケジューリングセルに設定することにより、最大３２ＣＣにクロスキャリアスケジューリングを適用することができる。またＣＩＦ値に所定のオフセットを加えた値に基づいて、ＰＤＳＣＨが割当てられるＣＣを判断することにより、下り制御情報に設定するＣＩＦを既存システムと同様の３ビットとすることができる。これにより、下り制御情報のオーバーヘッドが増加することを抑制すると共に、既存システムの下り制御情報（ＰＤＣＣＨ）を利用することが可能となる。
【００３８】
なお、図５では、各スケジューリングセルが８個のセル（ＣＣ）のスケジューリングを制御する場合を示しているが、これに限られない。例えば、各スケジューリングセルが５個のセル（ＣＣ）のスケジューリングを制御することも可能である（図６参照）。かかる場合、ユーザ端末及び無線基地局は、各スケジューリングセルで送信されるＣＩＦの値に５の倍数となる所定のオフセットを加えた値に基づいてＰＤＳＣＨの割当てＣＣを判断することができる。なお、図６の構成は一例であり、これに限られない。
【００３９】
＜制御方法＞
以下に、ユーザ端末が、ＣＩＦを含む下り制御情報を送信する各ＣＣのＣＩＦ値に設定されるオフセットを考慮して所定ＣＣを決定する場合の一例について説明する。
【００４０】
無線基地局（ネットワーク）は、ユーザ端末に対して、所定セル（例えば、セルインデックス＃Ｘ）を設定する。また、無線基地局は、設定した所定セル＃Ｘについて、クロスキャリアスケジューリングが適用されること、スケジューリングする（ＣＩＦを送信する）セルに関する情報（例えば、セルインデックス＃Ｙ）をユーザ端末に通知する。これらの情報は、上位レイヤシグナリング（例えば、ＲＲＣシグナリング）等で無線基地局からユーザ端末に通知することができる。
【００４１】
ユーザ端末は、スケジューリングセル＃Ｙから送信される下り制御チャネルを検出して、ＣＩＦ値を取得する。ユーザ端末は、ＣＩＦ値の値がＺである場合、当該下り制御チャネルが所定セル＃（Ｚ＋Ｆｌｏｏｒ（Ｙ／８）×８）に対するスケジューリングであると判断し、所定セル＃（Ｚ＋Ｆｌｏｏｒ（Ｙ／８）×８）でＰＤＳＣＨの受信処理（復号等）を行う。
【００４２】
このように、ユーザ端末は、クロスキャリアスケジューリングが設定された所定ＣＣのインデックスに対して、ＣＩＦが指定する値とスケジューリングセルのインデックスを用いてＰＤＳＣＨ及び／又はＰＵＳＣＨの割当てがあるセルを判断する。以下に、図５において、セル＃ＸがＣＣ＃２０である場合について具体的に説明する。
【００４３】
無線基地局は、ユーザ端末に対して、ＣＣ＃２０を設定（Configure）すると共に、ＣＣ＃２０にクロスキャリアスケジューリングが適用されること、ＣＣ＃２０をスケジューリングするセルがＣＣ＃１６である情報を通知する。ユーザ端末は、スケジューリングＣＣ＃１６から送信される下り制御情報（ＰＤＣＣＨ及び／又はＥＰＤＣＣＨ）を検出して、ＣＩＦ値を取得する。ユーザ端末は、スケジューリングＣＣ＃１６から送信されるＣＩＦ値が４である場合に、ＣＣ＃１６から送信される下り制御情報がＣＣ＃２０（＝４＋Ｆｌｏｏｒ（２０／８）×８）に対するスケジューリングであると判断することができる。
【００４４】
（第２の態様）
第２の態様では、クロスキャリアスケジューリングを行う場合に、スケジューリングを行うセルのインデックスと、当該スケジューリングセルが送信するＣＩＦに対応する所定セルをあらかじめ設定する場合について説明する。
【００４５】
図７は、スケジューリングを制御するScheduling  Cellインデックスと、当該スケジューリングセルの各ＣＩＦ値に対応するScheduled  Cellインデックスの関係を示すテーブルの一例である。
【００４６】
図７では、スケジューリングセル＃０のＣＩＦ＝０がセル＃０に対応し、ＣＩＦ＝１がセル＃１１に対応し、ＣＩＦ＝７がセル＃２に対応している。また、他のスケジューリングセル＃２のＣＩＦ＝０がセル＃６に対応し、ＣＩＦ＝７がセル＃３に対応している。
【００４７】
無線基地局は、スケジューリングセルに関する情報と、当該スケジューリングセルのＣＩＦ値に対応するセルインデックスに関する情報（図７のテーブル内容）をユーザ端末に上位レイヤシグナリング（例えば、ＲＲＣシグナリング）等を用いて送信する。
【００４８】
ユーザ端末は、無線基地局から送信される情報（例えば、図７のテーブル内容）に基づいて、各ＣＩＦ値に対応するセル（ＣＣ）を特定することができる。例えば、ユーザ端末は、図７のテーブルに基づいて、クロスキャリアスケジューリングが適用されるセル＃３（ＣＣ＃３）は、セル＃２の下り制御情報に含まれるＣＩＦが７の場合に割当てられる、と判断することができる。
【００４９】
これにより、スケジューリングセル間で同一のＣＩＦを用いる場合であっても、ユーザ端末は、ＰＤＳＣＨの割当てＣＣを適切に判断することが可能となる。また、あらかじめ、各スケジューリングセルのＣＩＦ値に対応するセルを設定することにより、下り制御情報に設定するＣＩＦを既存システムと同様の３ビットとすることができる。これにより、下り制御情報のオーバーヘッドが増加することを抑制すると共に、既存システムの下り制御情報（ＰＤＣＣＨ）を利用することが可能となる。
【００５０】
また、第２の態様では、セルインデックスが連続しないセル間でスケジューリングセルを共通にすることが出来るため、Scheduling  CellとScheduled  Cellを柔軟に組み合わせて設定することが可能となる。
【００５１】
なお、図７では、ＣＩＦの値を８値（ＣＩＦ＝０〜７）とする場合を示したが、本実施の形態はこれに限られない。他にもＣＩＦの値を５値（ＣＩＦ＝０〜４）とすることも可能である。
【００５２】
（第３の態様）
第３の態様では、ＣＩＦのビット数を拡張してクロスキャリアスケジューリングを行う場合について説明する。
【００５３】
例えば、ＣＩＦを５ビットに拡張して、クロスキャリアスケジューリングを制御することができる。ＣＩＦを５ビットとする場合、３２個のＣＣを指定することが可能となる。下り制御情報（ＤＣＩ）のＣＩＦを５ビットに拡張する場合、新規のＤＣＩフォーマットを設定してもよいし、既存のＤＣＩフォーマットにおいて他のフィールドの２ビットを利用してもよい。なお、ＣＩＦの拡張ビットは、５ビットに限られない。
【００５４】
また、ユーザ端末は、ビット数が３ビットから拡張されたＣＩＦが設定された場合、既存の３ビットのＣＩＦが割当てられる制御チャネル（ＰＤＣＣＨ及び／又はＥＰＤＣＣＨ）の検出を行わない構成としてもよい。
【００５５】
例えば、ユーザ端末は、３ビットのＣＩＦのＰＤＣＣＨに対してブラインド復号を行わず、拡張されたＣＩＦ（例えば、５ビット）が割当てられるＰＤＣＣＨに対してブラインド復号を行うことができる。この場合、ユーザ端末は、ＵＥ固有サーチスペース（ＵＳＳ）において拡張されたＣＩＦが割当てられるＰＤＣＣＨと、共通サーチスペース（ＣＳＳ）においてＣＩＦが設定されないＰＤＣＣＨに対してブラインド復号を行うことができる。
【００５６】
既存の３ビットのＣＩＦを有するＰＤＣＣＨのブラインド復号を行わない場合、ブラインド復号の試行回数の合計数を低減することができる。これにより、ユーザ端末の処理負担を軽減することが可能となる。
【００５７】
あるいは、ユーザ端末は、ビット数が３ビットから拡張されたＣＩＦが設定された場合、既存の３ビットのＣＩＦが割当てられる制御チャネルと、拡張されたＣＩＦが割当てられるＰＤＣＣＨの検出を行う構成としてもよい。この場合、ユーザ端末は、３ビットのＣＩＦと、拡張されたＣＩＦの両方をサポートしている。
【００５８】
例えば、ユーザ端末は、３ビットのＣＩＦのＰＤＣＣＨに加えて、拡張されたＣＩＦが割当てられるＰＤＣＣＨに対してもブラインド復号を行うことができる。この場合、ユーザ端末は、ＵＥ固有サーチスペース（ＵＳＳ）において、拡張されたＣＩＦが割当てられるＰＤＣＣＨと、３ビットのＣＩＦが割当てられるＰＤＣＣＨと、共通サーチスペース（ＣＳＳ）においてＣＩＦが設定されないＰＤＣＣＨと、に対してブラインド復号を行うことができる。
【００５９】
このように、既存の３ビットのＣＩＦを有するＰＤＣＣＨと、拡張されたＣＩＦを有するＰＤＣＣＨのブラインド復号を行うことにより、設定されるＣＣ数等に基づいて、既存のクロスキャリアスケジューリングを適用（フォールバック）することができる。例えば、複数のＣＣのうちＤＬ信号が送信されるＣＣ数（又は、アクティブ状態のＣＣ数）が５以下である場合、ユーザ端末は、既存のクロスキャリアスケジューリング（Rel.12  CA  w/  cross-carrier  scheduling）を適用することができる。これにより、割り当てるデータの量（割り当てるＣＣの数）に応じて下り制御情報のビット長を動的に変更できるため、下り制御チャネルのオーバーヘッドを低減することが可能となる。
【００６０】
＜変形例＞
ユーザ端末は、所定サブフレームに限定して、ビット数が拡張されたＣＩＦを含むＰＤＣＣＨのブラインド復号を行う構成としてもよい。この場合、無線基地局は、所定サブフレームに関する情報を、上位レイヤシグナリング（例えば、ＲＲＣシグナリング等）を用いてユーザ端末に設定することができる。
【００６１】
また、ユーザ端末は、所定の下り制御チャネル（ＰＤＣＣＨ及び／又はＥＰＤＣＣＨ）に限定して、ビット数が拡張されたＣＩＦを含むＰＤＣＣＨのブラインド復号を行う構成としてもよい。
【００６２】
所定の下り制御チャネルは、以下のいずれか一つ又は組み合わせとすることができる。
・ＵＥ固有サーチスペース（ＵＳＳ）
・ＥＰＤＣＣＨ
・ＥＰＤＣＣＨとして設定される２セットのＥＰＤＣＣＨセットのいずれか一方
・ブラインド復号を行う統合数（例えば、アグリゲーションレベル＝１、２、４、８）のうち特定のアグリゲーションレベル
【００６３】
各ＥＰＤＣＣＨセットは、それぞれ複数のＰＲＢで構成され、ＥＰＤＣＣＨセットに関する情報は、無線基地局からユーザ端末に通知することができる。
【００６４】
このように、一部のサブフレーム及び／又は下り制御チャネルに対して拡張されたＣＩＦを適用することにより、ユーザ端末の処理負担の増加を一部のサブフレームや制御チャネルに限定することができると共に、その他のサブフレームや制御チャネルのオーバーヘッドの増大を抑制することができる。
【００６５】
（無線通信システムの構成）
以下、本発明の一実施形態に係る無線通信システムの構成について説明する。この無線通信システムでは、本発明の実施形態に係る無線通信方法が適用される。なお、上記の各実施形態に係る無線通信方法は、それぞれ単独で適用されてもよいし、組み合わせて適用してもよい。
【００６６】
図８は、本発明の一実施形態に係る無線通信システムの概略構成の一例を示す図である。なお、図８に示す無線通信システムは、例えば、ＬＴＥシステム、ＳＵＰＥＲ  ３Ｇ、ＬＴＥ−Ａシステムなどが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。なお、この無線通信システムは、ＩＭＴ−Ａｄｖａｎｃｅｄと呼ばれても良いし、４Ｇ、５Ｇ、ＦＲＡ（Future  Radio  Access）などと呼ばれても良い。
【００６７】
図８に示す無線通信システム１は、マクロセルＣ１を形成する無線基地局１１と、マクロセルＣ１内に配置され、マクロセルＣ１よりも狭いスモールセルＣ２を形成する無線基地局１２ａ−１２ｃとを備えている。また、マクロセルＣ１及び各スモールセルＣ２には、ユーザ端末２０が配置されている。
【００６８】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、少なくとも６個以上のＣＣ（セル）を用いてＣＡ又はＤＣを適用することができる。
【００６９】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。無線基地局１１と無線基地局１２との間（又は、２つの無線基地局１２間）は、有線接続（光ファイバ、Ｘ２インターフェースなど）又は無線接続する構成とすることができる。
【００７０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００７１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００７２】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【００７３】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、ＭＩＢ（Master  Information  Block）などが伝送される。
【００７４】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどを伝送するために用いられてもよい。
【００７５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号（HARQ-ACK）などが伝送される。ＰＲＡＣＨにより、セルとの接続確立のためのランダムアクセスプリアンブル（ＲＡプリアンブル）が伝送される。
【００７６】
＜無線基地局＞
図９は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部で構成される。
【００７７】
下りリンクにより無線基地局１０からユーザ端末２０に送信されるユーザデータは、上位局装置３０から伝送路インターフェース１０６を介してベースバンド信号処理部１０４に入力される。
【００７８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて各送受信部１０３に転送される。また、下り制御信号に関しても、チャネル符号化や逆高速フーリエ変換などの送信処理が行われて、各送受信部１０３に転送される。
【００７９】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【００８０】
例えば、送受信部１０３は、クロスキャリアスケジューリングが適用されるセル（ＣＣ）に関する情報と、当該セル（ＣＣ）をスケジューリングするセル（ＣＣ）に関する情報を送信することができる。また、送受信部１０３は、ＣＩＦを含む下り制御情報を送信する各ＣＣ（スケジューリングセル）のＣＩＦがそれぞれ対応するＣＣに関する情報を送信することができる。例えば、送受信部１０３は、図７に示すテーブルの情報を送信することができる。なお、送受信部１０３は、本発明に係る技術分野での共通認識に基づいて説明されるトランスミッター／レシーバー、送受信回路又は送受信装置とすることができる。
【００８１】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【００８２】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００８３】
伝送路インターフェース１０６は、所定のインターフェースを介して、上位局装置３０と信号を送受信する。また、伝送路インターフェース１０６は、基地局間インターフェース（例えば、光ファイバ、Ｘ２インターフェース）を介して隣接無線基地局１０と信号を送受信（バックホールシグナリング）してもよい。
【００８４】
図１０は、本実施形態に係る無線基地局の機能構成の一例を示す図である。なお、図１０では、本実施形態における特徴部分の機能ブロックを主に示しており、無線基地局１０は、無線通信に必要な他の機能ブロックも有しているものとする。図１０に示すように、ベースバンド信号処理部１０４は、制御部（スケジューラ）３０１と、送信信号生成部（生成部）３０２と、マッピング部３０３と、受信信号処理部３０４と、を備えている。
【００８５】
制御部（スケジューラ）３０１は、ＰＤＳＣＨで送信される下りデータ信号、ＰＤＣＣＨ及び／又はＥＰＤＣＣＨで伝送される下り制御信号のスケジューリング（例えば、リソース割り当て）を制御する。クロスキャリアスケジューリングを適応する場合に、スケジューリングセルの制御部３０１では、他のセル（ＣＣ）のＰＤＳＣＨの割当ても制御する。また、複数のスケジューリングセルのインデックスと、当該スケジューリングセルがそれぞれ送信するＣＩＦに対応するセルをあらかじめ設定する場合（図７参照）、制御部３０１は、設定された情報（テーブル内容）に基づいてスケジューリングするセルを選択することができる。
【００８６】
また、制御部３０１は、システム情報、同期信号、ページング情報、ＣＲＳ（Cell-specific  Reference  Signal）、ＣＳＩ−ＲＳ（Channel  State  Information  Reference  Signal）等のスケジューリングの制御も行う。また、上り参照信号、ＰＵＳＣＨで送信される上りデータ信号、ＰＵＣＣＨ及び／又はＰＵＳＣＨで送信される上り制御信号、ＰＲＡＣＨで送信されるランダムアクセスプリアンブル等のスケジューリングを制御する。
【００８７】
制御部３０１は、本発明に係る技術分野での共通認識に基づいて説明されるコントローラ、制御回路又は制御装置とすることができる。
【００８８】
送信信号生成部３０２は、制御部３０１からの指示に基づいて、ＤＬ信号を生成して、マッピング部３０３に出力する。例えば、送信信号生成部３０２は、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ）等に基づいて決定された符号化率、変調方式などに従って符号化処理、変調処理が行われる。
【００８９】
また、クロスキャリアスケジューリングを適用する場合に、スケジューリングセルの送信信号生成部３０２は、ＣＩＦを含む下り制御信号（ＤＣＩ）を生成する。ＣＩＦは３ビットで設定してもよいし（第１の態様、第２の態様）、拡張（例えば、５ビット）して設定してもよい。また、複数のスケジューリングセルのインデックスと、当該スケジューリングセルがそれぞれ送信するＣＩＦに対応するセルをあらかじめ設定する場合（図７参照）、送信信号生成部３０２は、設定された情報（テーブル内容）に基づいてＣＩＦ値を設定する。
【００９０】
送信信号生成部３０２は、本発明に係る技術分野での共通認識に基づいて説明される信号生成器、信号生成回路又は信号生成装置とすることができる。
【００９１】
マッピング部３０３は、制御部３０１からの指示に基づいて、送信信号生成部３０２で生成された下り信号を、所定の無線リソースにマッピングして、送受信部１０３に出力する。なお、マッピング部３０３は、本発明に係る技術分野での共通認識に基づいて説明されるマッパー、マッピング回路又はマッピング装置とすることができる。
【００９２】
受信信号処理部３０４は、ユーザ端末から送信されるＵＬ信号（例えば、送達確認信号（ＨＡＲＱ−ＡＣＫ）、ＰＵＳＣＨで送信されたデータ信号、ＰＲＡＣＨで送信されたランダムアクセスプリアンブル等）に対して、受信処理（例えば、デマッピング、復調、復号など）を行う。処理結果は、制御部３０１に出力される。
【００９３】
また、受信信号処理部３０４は、受信した信号を用いて受信電力（例えば、ＲＳＲＰ（Reference  Signal  Received  Power））、受信品質（ＲＳＲＱ（Reference  Signal  Received  Quality））やチャネル状態などについて測定してもよい。測定結果は、制御部３０１に出力されてもよい。
【００９４】
受信信号処理部３０４は、本発明に係る技術分野での共通認識に基づいて説明される信号処理器、信号処理回路又は信号処理装置、並びに、測定器、測定回路又は測定装置から構成することができる。
【００９５】
＜ユーザ端末＞
図１１は、本実施形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【００９６】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【００９７】
送受信部２０３は、複数ＣＣでクロスキャリアスケジューリングが適用される場合、異なるＣＣ（スケジューリングセル）から同一のＣＩＦ値を含む下り制御情報を受信することができる。また、送受信部２０３は、クロスキャリアスケジューリングが適用されるＣＣに関する情報と、当該ＣＣをスケジューリングするスケジューリングＣＣに関する情報を受信することができる。なお、送受信部２０３は、本発明に係る技術分野での共通認識に基づいて説明されるトランスミッター／レシーバー、送受信回路又は送受信装置とすることができる。
【００９８】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【００９９】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１００】
図１２は、本実施形態に係るユーザ端末の機能構成の一例を示す図である。なお、図１２においては、本実施形態における特徴部分の機能ブロックを主に示しており、ユーザ端末２０は、無線通信に必要な他の機能ブロックも有しているものとする。図１２に示すように、ユーザ端末２０が有するベースバンド信号処理部２０４は、制御部４０１と、送信信号生成部４０２と、マッピング部４０３と、受信信号処理部４０４と、を備えている。
【０１０１】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。具体的には、制御部４０１は、送信信号生成部４０２、マッピング部４０３及び受信信号処理部４０４の制御を行うことができる。
【０１０２】
クロスキャリアスケジューリングが適用される場合、制御部４０１は、受信したＣＩＦに基づいて所定ＣＣのＰＤＳＣＨの受信処理を制御し、受信処理部４０４に指示することができる。また、制御部４０１は、受信したＣＩＦに基づいて所定ＣＣのＰＵＳＣＨの送信処理を制御してもよい。また、制御部４０１は、ＣＩＦを含む下り制御情報を送信する各ＣＣのＣＩＦ値に設定されるオフセットを考慮して所定ＣＣを決定することができる（第１の態様）。具体的には、制御部４０１は、各スケジューリングＣＣから送信されるＣＩＦ値にそれぞれ異なるオフセットを付加して所定ＣＣを決定することができる。
【０１０３】
また、制御部４０１は、ＣＩＦを含む下り制御情報を送信する各ＣＣのＣＩＦがそれぞれ対応するＣＣに関する情報が規定されたテーブルに基づいて、所定ＣＣを決定することができる（第２の態様）。
【０１０４】
制御部４０１は、本発明に係る技術分野での共通認識に基づいて説明されるコントローラ、制御回路又は制御装置とすることができる。
【０１０５】
送信信号生成部４０２は、制御部４０１からの指示に基づいて、ＵＬ信号を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）等の上り制御信号を生成する。
【０１０６】
また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０１０７】
マッピング部４０３は、制御部４０１からの指示に基づいて、送信信号生成部４０２で生成された上り信号（上り制御信号及び／又は上りデータ）を無線リソースにマッピングして、送受信部２０３へ出力する。マッピング部４０３は、本発明に係る技術分野での共通認識に基づいて説明されるマッパー、マッピング回路又はマッピング装置とすることができる。
【０１０８】
受信信号処理部４０４は、ＤＬ信号（例えば、無線基地局から送信された下り制御信号、ＰＤＳＣＨで送信された下りデータ信号等）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリング、ＤＣＩなどを、制御部４０１に出力する。
【０１０９】
また、クロスキャリアスケジューリングが適用される場合、受信信号処理部４０４は、制御部４０１からの指示に基づいて、下り制御情報に含まれるＣＩＦに対応する所定ＣＣを判断し、当該所定ＣＣのＰＤＳＣＨを受信することができる。なお、受信信号処理部４０４は、本発明に係る技術分野での共通認識に基づいて説明される信号処理器、信号処理回路又は信号処理装置、並びに、測定器、測定回路又は測定装置から構成することができる。また、受信信号処理部４０４は、本発明に係る受信部を構成することができる。
【０１１０】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１１１】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）等のハードウェアを用いて実現されても良い。また、無線基地局１０やユーザ端末２０は、プロセッサ（ＣＰＵ）と、ネットワーク接続用の通信インターフェースと、メモリと、プログラムを保持したコンピュータ読み取り可能な記憶媒体と、を含むコンピュータ装置によって実現されてもよい。
【０１１２】
ここで、プロセッサやメモリなどは情報を通信するためのバスで接続される。また、コンピュータ読み取り可能な記録媒体は、例えば、フレキシブルディスク、光磁気ディスク、ＲＯＭ、ＥＰＲＯＭ、ＣＤ−ＲＯＭ、ＲＡＭ、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１１３】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１１４】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１１５】
１  無線通信システム
１０  無線基地局
２０  ユーザ端末
１０１  送受信アンテナ
１０２  アンプ部
１０３  送受信部
１０４  ベースバンド信号処理部
１０５  呼処理部
１０６  伝送路インターフェース
２０１  送受信アンテナ
２０２  アンプ部
２０３  送受信部
２０４  ベースバンド信号処理部
２０５  アプリケーション部
３０１、４０１  制御部
３０２、４０２  送信信号生成部
３０３、４０３  マッピング部
３０４、４０４  受信信号処理部
【図１】
2018110420.tif 000003
【図２】
2018110420.tif 000004
【図３】
2018110420.tif 000005
【図４】
2018110420.tif 000006
【図５】
2018110420.tif 000007
【図６】
2018110420.tif 000008
【図７】
2018110420.tif 000009
【図８】
2018110420.tif 000010
【図９】
2018110420.tif 000011
【図１０】
2018110420.tif 000012
【図１１】
2018110420.tif 000013
【図１２】
2018110420.tif 000014